(57)【要約】【課題】特に四人乗りクーペ型乗用車の、前部座席乗員が着座中に後部座席乗員が乗り降りできる実用的な長尺ドアを実現すること。さらには、特許文献５の課題、前座席乗員と後座席乗員が乗り降りする時には、前座席または後座席の一方の乗員が乗り降りした後一度ドアを閉めて再度ドアを開けないと他方の乗り降りができなかったことを解決することである。【解決手段】一方の端部が車体開口部5の後端部に連結し他方の端部がドア4と連結するリンクからなる第２の連結手段を備え、前後二列の座席の前後方向の範囲まで開放できるスウィング方式の長尺前側開きドアとし、閉止される第１のドアの状態、前座席2の前後方向の範囲のみが開放される第２のドアの状態、前座席2および後座席3の前後方向の範囲が開放される第３のドアの状態の三つの状態間の遷移制御を行う二段開きドアとすることである。【選択図】図１２
2011184924.tif 000002
【特許請求の範囲】
【請求項１】
自動車の車体1の側面に設けられた、当該自動車の前後二列に配列された前座席2と後座席3の当該自動車の前後方向の範囲を単独でカバーするドア4と、
前記ドアに対応して、前記車体に設けられ、前記前座席と前記後座席の当該自動車の前後方向の範囲を単独でカバーする開口部5と、
前記車体と前記ドアとの間に介在し、前記車体の前記開口部の前後方向の前端部及び後端部において、前記ドアを前記車体に着脱可能に連結する二つの第１の連結手段34a,34b,34c,35a,35b,35cと、
前記車体と前記ドアとの間に介在し、一方の端部が前記車体の前記開口部の前後方向の後端部と回転駆動可能に連結し、他方の端部が前記ドアと回転駆動可能に連結する第２の連結手段111,121,122,211,212,221,222,223,311,312,321,322,323,411,412,421,422,423と、
前記ドアが二つの前記第１の連結手段によって前記車体に連結され閉止される第１のドアの状態、前記ドアが前記前座席の当該自動車の前後方向の範囲を開放する第２のドアの状態、前記前座席および前記後座席の当該自動車の前後方向の範囲を開放する第３のドアの状態の三つの状態の内、所望の状態を指示する入力を受付ける入力装置10と、
前記入力装置からの信号を受けて、前記第１の連結手段を制御して前記ドアの前記車体への連結または解除を行い、前記第２連結手段を制御して前記車体に対する前記第２の連結手段の回転駆動と前記第２の連結手段に対する前記ドアの回転駆動を行うことにより、前記第１のドアの状態、前記第２のドアの状態、前記第３のドアの状態の三つの状態間の遷移を行う制御装置40を備えること、
を特徴とする自動車のドア装置。
【請求項２】
請求項１の自動車のドア装置において、
前記第２の連結手段が、リンク111と二つの回転駆動機構121,122からなること、
さらに、前記リンクは一方の端部が第１回転駆動機構121によって前記車体の前記開口部5の前後方向の後端部と回転駆動可能に連結され、前記リンクの他方の端部が第２回転駆動機構122によって前記ドア4の前後方向の概略中央部に回転駆動可能に連結されること、
さらに前記リンクは、第１のドアの状態において、前記ドア内側面に平行な状態で収納すること、
を特徴とする自動車のドア装置。
【請求項３】
請求項１の自動車のドア装置において、
前記第２の連結手段が、第１リンク211と第２リンク212と三つの回転駆動機構221,222,223からなること、
さらに、前記第１リンクの一方の端部と前記第２リンクの一方の端部が第１回転駆動機構221で回転駆動可能に連結され、前記第１リンクの他の端部が第２回転駆動機構222によって前記車体1の前記開口部5の前後方向の後端部と回転駆動可能に連結され、前記第２リンクの他の端部が第３回転駆動機構223によって前記ドア4の前後方向の概略中央部に回転駆動可能に連結されること、
さらに前記第１リンクと前記第２リンクは、第１のドアの状態において伸長して前記ドア内側面に平行な状態で収納されること、
を特徴とする自動車のドア装置。
【請求項４】
請求項１の自動車のドア装置において、
前記第２の連結手段が、第１リンク311と第２リンク312と三つの回転駆動機構321,322,323からなること、
さらに、前記第１リンクの一方の端部と前記第２リンクの一方の端部が第１回転駆動機構321で回転駆動可能に連結され、前記第１リンクの他の端部が第２回転駆動機構322によって前記車体1の前記開口部5の前後方向の後端部と回転駆動可能に連結され、前記第２リンクの他の端部が第３回転駆動機構323によって前記ドア4の前後方向の後端部に回転駆動可能に連結されること、
さらに前記第１リンクと前記第２リンクは、第１のドアの状態においては折畳まれて前記ドア内側面に平行な状態で収納されること、
を特徴とする自動車のドア装置。
【請求項５】
請求項１から４の自動車のドア装置において、
前記車体1と前記ドア4との間に介在し、前記車体の前記開口部5の前後方向の前端部及び後端部において、前記ドアを前記車体に着脱可能に連結する二つの第１の連結手段34a,34b,34c,35a,35b,35cと、
さらに、前記車体の前記開口部の前後方向の概略中央の下端部において、前記ドアと前記車体部分を着脱可能に連結する第３の連結手段34c,35cを備え、
前記ドアの閉止時に、前記二つの第１の連結手段と前記第３の連結手段によって前記ドアと前記開口部を連結固定し、前記二つの第１の連結手段と前記第３の連結手段を頂点とする実質上の三角形のトラス構造6を形成すること、
を特徴とする自動車のドア装置。
【発明の詳細な説明】
【技術分野】
【０００１】
自動車のドアの開閉装置に関するものである。
【背景技術】
【０００２】
本発明のドア装置は、自動車の、特にクーペ型自動車の前後二列の座席の自動車の前後方向の範囲を単独でカバーする長尺ドアであって、Bピラーのないデザインを可能にし、前座席乗員が着座している状態での後座席乗員の乗り降りも容易にするドア装置である。
【０００３】
自動車の側面に設けられた長尺ドアの既存の開閉方式には三方式ある。第１の方式は長尺ガルウィングドア方式で生産販売されている例はないが、コンセプトモデルとしては、シトローエン・イプノス(Paris Show 2008、富士重工業ハイブリッドツアラーコンセプト(Tokyo Motor Show 2009)等が発表されている。それらはデザイン上の理由でドア上端部に設けられたヒンジのみで開放状態のドアの支持を行っている。しかし、実用的な長尺ガルウィングドア方式では、第一にドア上端部に開閉のためのヒンジが装着されるため車体屋根部の剛性とドアの窓枠の剛性の問題があり、第二にドア支持機構を設けるためにドア前ピラー(Aピラー)とドア後方ピラー(Bピラー)が太くなる問題がある。それらは、車体とドアの重量が大きく、重心を高くする問題がある。
【０００４】
第２の方式は二重ヒンジで前方に開放する長尺ドアである。ドアの開口を大きくして後座席乗員の乗り降りを容易にするものである。例としてルノー  アヴァンタイム(フランス  ２００４年で生産終了)がある。それは１．４ｍの前方に開放する長尺ドアを有するが、本発明のドア装置のように前後二列の座席の自動車の前後方向の範囲を単独でカバーするものでないので、前座席2を移動するか倒さないと後座席乗員の乗り降りが困難であり、ドアを大きく開口しないと前座席2の乗員の乗り降りが困難であり、ドアを大きく開口するには自動車の側方に大きなスペースを必要とする。二重ヒンジを用いたドア装置の特許文献としては特許文献１、特許文献２、特許文献３がある。それらは本発明の長尺ドアではなく、前座席乗員が着座している状態での後座席乗員の乗り降りも容易にものでない。
【特許文献１】特開平5-112126
【特許文献２】特開平5-112129
【特許文献３】特開平5-113074
【０００５】
第３の方式は長尺両開きドアであり、生産販売している例もコンセプトモデルとしての発表の例もない。前後二列の座席の自動車の前後方向の範囲を単独でカバーする長尺両開きドアの特許文献としては特許文献４、特許文献５がある。それらの長尺両開きドアは、ドアの開閉と支持を行う部材の存在により、前座席乗員と後座席乗員の双方が乗り降りする場合に一度ドアを閉めてドアの反対側を開けなければならない問題がある。
【特許文献４】国際特開2005/111352
【特許文献５】特開2008-174224号公報
【発明の開示】
【発明が解決しようとする課題】
【０００６】
本発明の課題は、特に四人乗りクーペ型乗用車の、前部座席乗員が着座中に後部座席乗員が乗り降りできる実用的な長尺ドアを実現すること。さらには、特許文献５の課題、前座席乗員と後座席乗員が乗り降りする時には、前座席2または後座席3の一方の乗員が乗り降りした後一度ドアを閉めて再度ドアを開けないと他方の乗り降りができなかったことを解決することである。また、クーペ型自動車が、後座席3に比べて前座席2の快適性を重視することを考慮して、長尺ドアの構造の単純化と軽量化を可能にすることである。
【課題を解決するための手段】
【０００７】
長尺ドアの開放する範囲を、通常は前席の範囲とし、必要に応じて前席と後席をカバーする範囲とする。そのために、特許文献５のドア装置について、四つの変更を行う。第１の変更は両開きドアから前側開き(片方向開き)ドアとすることであり、第２の変更はドア開放範囲をドアと同じ範囲すなわち前後二列の座席の自動車の前後方向の範囲まで拡大することであり、第３の変更は、閉止される第１のドアの状態、前座席2の前後方向の範囲のみが開放される第２のドアの状態、前座席2および後座席3の前後方向の範囲が開放される第３のドアの状態の三つの状態間の遷移制御を行う二段開きドアとすることである。
【発明の効果】
【０００８】
本発明のドア装置の前座席2の前後方向の範囲のみが開放される第２のドアの状態は、前席乗員の快適な乗り降りと乗り降りに必要な車体1の側面のスペースの相反する問題を解決した。また、前座席2および後座席3の前後方向の範囲が開放される第３のドアの状態は、前座席乗員が着座したまま座席を移動することなく、後席乗員が乗り降りすることを可能にした。従って、本発明はクーペ型自動車に要求される前座席2の快適さを実現したものである。
【発明を実施するための最良の形態】
【０００９】
本発明は二段スウィング方式の長尺前側開きドアである。本発明のドア装置の基本的な構成は、ドア4と開口部5、二つの第１の連結手段、第２の連結手段、ドア4の開閉操作の入力を受付ける入力装置10、制御装置20からなり、制御装置20は、入力装置10からの信号を受けて、閉止される第１のドアの状態、前座席2の前後方向の範囲のみが開放される第２のドアの状態、前座席2および後座席3の前後方向の範囲が開放される第３のドアの状態の三つの状態間の遷移の制御を行う。第１の連結手段は、ロックソレノイド34a, 34bとロックピン35a,35bの組合せ、第２の連結手段は、リンク111,211,212,311,312,411,412と回転駆動機構121,122,221,222,223,321,322,323,421,422,423の組合せであり、入力装置10は、例えばリモート操作盤10であり、制御装置20は入力制御部21、記憶装置22と出力制御部23からなる。
【００１０】
図１は本発明のモデル一覧を示す図である。二段スウィング方式の長尺前側開きドアには、第２の連結手段の構造と動作によって分類される四つの方式、すなわち、実施例１に示す単リンク機構の二段スウィング方式(Model-151)、実施例２に示す二重リンク機構Aの二段スウィング方式(Model-152)、実施例３に示す二重リンク機構Bの二段スウィング方式(Model-153)、実施例４に示す折畳み二段スウィング方式(Model-154)のがある。また、図２から図７は図１に示した四つの方式のさらに詳細な動作によって分類した方式、Model-1511a,b,c,d,e,f,g,Model-1512a,b,c,d,e,f,g,Model-1513a,b,c,d,Model-1514b,c,dについての動作説明図である。図８から図１６は図２から図７で示した方式から選択した代表的なモデル、Model-1511c, Model-1512b, Model-1513a, Model-1514bについての構成図である。また、図１７は本発明の実施例５のドア4と車体1を一体の構造物にするトラス構造6についてのModel-151bの例で示した概念図、図１８はModel-151に共通のリモート操作盤10の外観図である。図１９はModel-151に共通の制御システム構成図、図２０から図２５はModel-151に共通の制御装置のフロー図である。
【実施例１】
【００１１】
実施例１はModel-1511に関するものである。Model-1511の第２の連結手段は単リンク機構であって、リンク111、第１回転駆動機構121、第２回転駆動機構122で構成される。図２と図３によって、Model-1511a,b,c,d,e,f,gの動作を説明する。Model-1511aの動作について、閉止される第１のドアの状態から前座席2の前後方向の範囲のみが開放される第２のドアの状態への遷移、第２のドアの状態から前座席2および後座席3の前後方向の範囲が開放される第３のドアの状態への遷移は双方ともドア4の平行移動である。Model-1511bの動作について、第１のドアの状態から第２のドアの状態への遷移はドア4の平行移動であり、第２のドアの状態から第３のドアの状態への遷移はドア4の回転である。Model-1511cの動作について、第１のドアの状態から第２のドアの状態への遷移はドア4の回転であり、第２のドアの状態から第３のドアの状態への遷移はドア4の平行移動である。Model-1511dの動作について、第１のドアの状態から第２のドアの状態への遷移と第２のドアの状態から第３のドアの状態への遷移はドア4の回転である。Model-1511eの動作について、第１のドアの状態から第２のドアの状態への遷移はドア4の平行移動であり、第２のドアの状態から第３のドアの状態への遷移はドア4のModel-1511bとは逆方向の回転と平行移動である。Model-1511fの動作について、第１のドアの状態から第２のドアの状態への遷移はドア4のModel-1511b等とは逆方向の回転と平行移動であり、第２のドアの状態から第３のドアの状態への遷移はドア4の平行移動である。Model-1511gの動作について、第１のドアの状態から第２のドアの状態への遷移はドア4のModel-1511bとは逆方向の回転と平行移動であり、第２のドアの状態から第３のドアの状態への遷移もドア4のModel-1511bとは逆方向の回転である。
【００１２】
図８、図９はModel-1511の代表的なモデルであるModel-1511cの構造図であり、図８(a)は第１のドアの状態の背面図、図８(b)は同正面図、図９(a)は第１のドアの状態、図９(b)は第２のドアの状態、図９(c)は第３のドアの状態の平面図である。車体側ブラケット31は車体1の開口部5に装着され、ドア側ブラケット32はドア4に装着される。第１の連結手段はロックソレノイド(前側)34a、ロックソレノイド(後側)34bとそれに直角に配置されたロックピン(前側)35a、ロックピン(後側)35bで構成され、車体側ブラケット31の前端部と後端部において車体側ブラケット31とドア側ブラケット32の着脱を行う。第２の連結手段はリンク(Model-1511)111、第１回転駆動機構(Model-1511)121、第２回転駆動機構(Model-1511)122で構成され、第１回転駆動機構(Model-1511)121はリンク(Model-1511)111の一方の端部と車体側ブラケット31の後端部を連結し、第２回転駆動機構(Model-1511)122はリンク(Model-1511)111の他方の端部とドア側ブラケット32の中央部を連結する。
【００１３】
図１８はModel-151に共通のリモート操作盤10の外観図である。セーフティスイッチ11の部分を把持することにより、操作が可能になる。左右のドアに対応した、Open1/2スイッチ12、Openスイッチ13、Closeスイッチ14が配置されている。操作信号は無線によって車体1に装着された制御装置に送信される。車体1のコンソール等にも同様の操作盤を装着する。
【００１４】
図１９はModel-151に共通の制御システム構成図である。制御装置20は入力制御部21、記憶装置22、出力制御部23からなる。入力制御部21はリモート操作盤10、ドア位置センサー(前側)33a、ドア位置センサー(後側)33bの入力信号を受け、記憶装置22から制御プログラムを読出して出力装置に送信し、記憶装置22はModel-1511,1512,1513,1514のそれぞれに対応した、第１のドアの状態、第２のドアの状態、第３のドアの状態の三つの状態間の遷移を行うための制御プログラムと現在のドアの状態の情報を記憶し、出力制御部23は取得した制御プログラムによって、ロックソレノイド(前側)34a、ロックソレノイド(後側)34bと第１回転駆動機構121,221,321,421、第２回転駆動機構122,222,322,422、第３回転駆動機構223,323,423を駆動する。Model-1511と他のモデルとの差異はModel-1511には第３回転駆動機構がないことである。
【００１５】
図２０から図２５はModel-151に共通の制御フロー図である。図２０はリモート操作盤10がスイッチの操作を検出する制御フロー、図２１は入力制御部21が現在のドアの状態から目的のドアの状態に遷移するための制御プログラムを記憶装置22から読み出すフロー図、図２２は出力制御部23が入力制御部21から取得した制御プログラムを識別してそれに対応するサブルーチンを起動するフロー、図２３は第１のドアの状態から第２のドアの状態または第３のドアの状態に遷移する制御を行うサブルーチン(12,13)のフロー、図２４は第２のドアの状態または第３のドアの状態から第１のドアの状態に遷移する制御を行うサブルーチン(21,31)のフロー、図２５は第２のドアの状態または第３のドアの状態から第３のドアの状態または第２のドアの状態に遷移する制御を行うサブルーチン(23,32)のフローである。Model-1511と他のモデルとの差異はModel-1511にはステップS41、ステップS50、ステップS60の第３回転駆動機構プログラム駆動がないことである。
【００１６】
Model-1511の代表的なモデルであるModel-1511cの、閉止された第１のドアの状態から前座席2の前後方向の範囲のみが開放された第２のドアの状態に遷移する制御について、図８、図９と図１８から図２５で説明する。リモート操作盤10は、ステップS10でセーフティスイッチ11が押されたこと、ステップS13で左Open1/2スイッチ13が押されたことを検出し、ステップS14で左Open1/2信号を無線で送信する。制御装置20の入力制御部21は、ステップS20で記憶装置22からドアが第１のドアの状態であることを示すパラメータX=1を読み出し、ステップS22で左Open1/2信号を受信するとパラメータY=2とし、ステップS24で制御プログラム(XY=12)を記憶装置22から読み出し、ステップS25で制御プログラム(XY=12)を出力制御部23に送信する。出力制御部23は、ステップS30で制御プログラム(XY=12)を受信し、ステップ31で制御プログラムのパラメータがX=1であることを検出するとサブルーチン(制御(12,13))を実行し、ステップS34で制御終了信号を入力制御部21に送信する。出力制御部23は、サブルーチン(制御(12,13))の、ステップS40でロックロックソレノイド(前側)34aとロックロックソレノイド(後側)34bとロックロックソレノイド(中央)34cを解除し、ステップS41で第１回転駆動機構(Model-1511)121と第２回転駆動機構(Model-1511)122を駆動して、第１のドアの状態を基準として、第１回転駆動機構(Model-1511)121の回転角が0°からθ1aに、第２回転駆動機構(Model-1511)122を回転角が0°からθ2aになるように制御することによって、ドア側ブラケット32は第１のドアの状態から前側が回転開放した第２のドアの状態に遷移する。入力制御部21は、ステップS26で制御終了信号を受信すると、ステップS27でドア状態情報を第２のドアの状態であることを示すパラメータX=2とする。
【００１７】
続いて、Model-1511cの、第２のドアの状態から前座席2および後座席3の前後方向の範囲が開放される第３のドアの状態に遷移する制御について、前記第１のドアの状態から第２のドアの状態に遷移する制御との差分を説明する。リモート操作盤10は、ステップS11で左Openスイッチ12が押されたことを検出し、ステップS12で左Open信号を無線で送信する。制御装置20の入力制御部21は、ステップS20で記憶装置22からドアが第２のドアの状態であることを示すパラメータX=2を読み出し、ステップS23で左Open信号を受信するとパラメータY=3とし、ステップS24で記憶装置22から制御プログラム(XY=23)を読み出し、ステップS25で制御プログラム(XY=23)を出力制御部23に送信する。出力制御部23は、ステップS30で制御プログラム(XY=23)を受信し、ステップ31で制御プログラムのパラメータがX=2,Y=3であることを検出するとサブルーチン(制御(23,32))を実行する。出力制御部23は、サブルーチン(制御(23,32))のステップS60で第１回転駆動機構121と第２回転駆動機構122を駆動して、第１のドアの状態を基準として、第１回転駆動機構(Model-1511)121の回転角がθ1aからθ1bに、第２回転駆動機構(Model-1511)122の回転角がθ2aからθ2bになるように制御することによって、ドア側ブラケット32は第２のドアの状態から後方に平行移動した第３のドアの状態に遷移する。入力制御部21は、ステップS26で制御終了信号を受信すると、ステップS27でドア状態情報を第３のドアの状態であることを示すパラメータX=3とする。
【００１８】
続いて、Model-1511cの、第３のドアの状態から第１のドアの状態に遷移する制御について、前記第１のドアの状態から第２のドアの状態に遷移する制御、第２のドアの状態から第３のドアの状態に遷移する制御との差分を説明する。リモート操作盤10は、ステップS15で左Closeスイッチ14が押されたことを検出し、ステップS16で左Close信号を無線で送信する。制御装置20の入力制御部21は、ステップS20で記憶装置22からドアが第３のドアの状態であることを示すパラメータX=3を読み出し、ステップS21で左Close信号を受信するとパラメータY=1とし、ステップS24で記憶装置22から制御プログラム(XY=31)を読み出し、ステップS25で制御プログラム(XY=31)を出力制御部23に送信する。出力制御部23は、ステップS30で制御プログラム(XY=31)を受信し、ステップ32で制御プログラムのパラメータがY=1であることを検出するとサブルーチン(制御(21,31))を実行する。出力制御部23は、サブルーチン(制御(21,31))の、ステップS50で第１回転駆動機構121と第２回転駆動機構122を駆動して、第１回転駆動機構(Model-1511)121の回転角がθ1bから0°に、第２回転駆動機構(Model-1511)122の回転角がθ2bから0°になるように制御し、ステップS51でドア位置センサー（前側）33aとドア位置センサー（後側）33bの入力信号を検出すると、ステップS52でロックロックソレノイド(前側)34aとロックロックソレノイド(後側)34bとロックロックソレノイド(中央)34cをロックすることによって、ドア側ブラケット32は閉止した第１のドアの状態に遷移する。入力制御部21は、ステップS26で制御終了信号を受信すると、ステップS27でドア状態情報を第１のドアの状態であることを示すパラメータX=1とする。
【００１９】
Model-1511の他のモデルであるModel-1511a,b,d,e,f,gの制御もModel-1511cと同様であり、θ1a,θ2a,θ1b,θ2bの値が異なるだけである。
【実施例２】
【００２０】
実施例２はModel-1512に関するものである。Model-1512の第２の連結手段は図１に示す二重リンク機構Ａであって、第１リンク(Model-1512)211、第２リンク(Model-1512)212、第１回転駆動機構(Model-1512)221、第２回転駆動機構(Model-1512)222、第３回転駆動機構(Model-1512)223で構成される。Model-1512はModel-1511に比べて、第２のドアの状態、第３のドアの状態におけるドア4の位置を車体1に近づけることができるので、ドア4の開閉に必要な車体1の側面のスペースを少なくすることができる。図４はModel-1512a,b,c,dの、図５はModel-1512e,f,gの動作を説明するものであり、Model-1512a,b,c,d,e,f,gのそれぞれのドアの状態の遷移の基本的な動作はModel-1511a,b,c,d,e,f,gのそれぞれと同様である。以下、実施例１のModel-1511との差分について説明する。
【００２１】
図１０、図１１はModel-1512の代表的なモデルであるModel-1512bの構造図であり、図１０(a)は第１のドアの状態の背面図、図１０(b)は同正面図、図１１(a)は第１のドアの状態、図１１(b)は第２のドアの状態、図１１(c)は第３のドアの状態の平面図である。Model-1512の第２の連結手段は、第１リンク(Model-1512)211、第２リンク(Model-1512)212、第１回転駆動機構(Model-1512)221、第２回転駆動機構(Model-1512)222、第３回転駆動機構(Model-1512)223で構成され、第１回転駆動機構(Model-1512)221は第１リンク(Model-1512)211の一方の端部と車体側ブラケット31の後端部を連結し、第２回転駆動機構(Model-1512)222は第１リンク(Model-1512)211の他方の端部と第２リンク(Model-1512)212の一方の端部を連結し、第３回転駆動機構(Model-1512)223は第２リンク(Model-1512)212の他方の端部とドア側ブラケット32の中央部を連結する。
【００２２】
Model-1512の代表的なモデルであるModel-1512bの第１のドアの状態から第２のドアの状態に遷移する制御について、図１０、図１１と図１８から図２５で説明する。出力制御部23は、サブルーチン(制御(12,13))の、ステップS40でロックロックソレノイド(前側)34aとロックロックソレノイド(後側)34bとロックロックソレノイド(中央)34cを解除し、ステップS41で第１回転駆動機構221、第２回転駆動機構222、第３回転駆動機構223を駆動して、第１のドアの状態を基準として、第１回転駆動機構(Model-1512)221の回転角が0°からθ1aに、第２回転駆動機構(Model-1512)222を回転角が0°からθ2aになるように制御することによって、ドア側ブラケット32は第１のドアの状態から後方に平行移動した第２のドアの状態に遷移する。この時、第３回転駆動機構(Model-1512)223は回転しない。
【００２３】
続いて、Model-1512bの、第２のドアの状態から第３のドアの状態に遷移する制御について説明する。出力制御部23は、サブルーチン(制御(23,32))の、ステップS60で第１回転駆動機構221、第２回転駆動機構222、第３回転駆動機構223を駆動して、第１のドアの状態を基準として、第１回転駆動機構(Model-1512)221の回転角がθ1aからθ1bに、第２回転駆動機構(Model-1512)222を回転角がθ2aからθ2bに、第３回転駆動機構(Model-1512)223を回転角が0°からθ3bになるように制御することによって、ドア側ブラケット32は第２のドアの状態から前側が回転開放した第３のドアの状態に遷移する。
【００２４】
続いて、Model-1512bの、第３のドアの状態から第１のドアの状態に遷移する制御について説明する。出力制御部23は、サブルーチン(制御(21,31))の、ステップS50で第１回転駆動機構221、第２回転駆動機構222、第３回転駆動機構223を駆動して、第１のドアの状態を基準として、第１回転駆動機構(Model-1512)221の回転角がθ1bから0°に、第２回転駆動機構(Model-1512)222を回転角がθ2bから0°に、第３回転駆動機構(Model-1512)223を回転角がθ3bから0になるように制御することによって、ドア側ブラケット32は第３のドアの状態から閉止した第１のドアの状態に遷移する。
【００２５】
図１２はModel-1512bのドア装置を装着した四人乗りクーペ型の自動車の概要構造図である。図１２(a)は第１のドアの状態の平面図、図１２図(b)は第２のドアの状態の平面図、１２図(c)は第３のドアの状態の平面図、図１２(d)は第１のドアの状態の正面図である。第１のドアの状態から第２のドアの状態への遷移は平行移動であって、ドア4の開閉のための車体1の側面のスペースは小さく、第２のドアの状態から第３のドアの状態への遷移は回転であって、車体1の後方のスペースを必要としない。
【００２６】
Model-1512の他のモデルであるModel-1512a,c,d,e,f,gの制御もModel-1512bと同様であり、θ1a,θ2a,θ3a,θ1b,θ2b,θ3bの値が異なるだけである。
【実施例３】
【００２７】
実施例３はModel-1513に関するものである。Model-1513の第２の連結手段は図１に示す二重リンク機構Ｂであって、第１リンク(Model-1513)311、第２リンク(Model-1513)312、第１回転駆動機構(Model-1513)321、第２回転駆動機構(Model-1513)322、第３回転駆動機構(Model-1513)323で構成される。Model-1513もModel-1512と同様に、第２のドアの状態、第３のドアの状態におけるドア4の位置を車体1に近づけることができるので、ドア4の開閉に必要な車体1の側面のスペースを少なくすることができる。図６はModel-1513a,b,c,dの動作を説明するものであって、Model-1513a,b,c,dのそれぞれのドアの状態の遷移の基本的な動作はModel-1511a,b,c,d,Model-1512a,b,c,dのそれぞれと同様である。Model-1513にはModel-1513e,f,gは存在しない。以下、実施例１のModel-1511、実施例２のModel-1512との差分について説明する。
【００２８】
図１３、図１４はModel-1513の代表的なモデルであるModel-1513aの構造図であり、図１３(a)は第１のドアの状態の背面図、図１３(b)は同正面図、図１４(a)は第１のドアの状態、図１４(b)は第２のドアの状態、図１４(c)は第３のドアの状態の平面図である。Model-1513の第２の連結手段は、Model-1512と同様に第１リンク(Model-1513)311、第２リンク(Model-1513)312、第１回転駆動機構(Model-1513)321、第２回転駆動機構(Model-1513)322、第３回転駆動機構(Model-1513)323で構成され、第１回転駆動機構(Model-1513)321は第１リンク(Model-1513)311の一方の端部と車体側ブラケット31の後端部を連結し、第２回転駆動機構(Model-1513)322は第１リンク(Model-1513)311の他方の端部と第２リンク(Model-1513)312の一方の端部を連結し、第３回転駆動機構(Model-1513)323は第２リンク(Model-1513)312の他方の端部とドア側ブラケット32の中央部を連結する。
【００２９】
Model-1513のModel-1512との差異は二つある。第１は動作の差異であって、Model-1512は、第１のドアの状態から第２のドアの状態への遷移を主に第１回転駆動機構(Model-1512)221で駆動し、Model-1513は、第１のドアの状態から第２のドアの状態への遷移を主に第２回転駆動機構(Model-1513)322で駆動することである。Model-1513e,f,gの動作は存在しない。第２は構造の差異であって、Model-1512の第１リンク(Model-1512)211は第２リンク(Model-1512)212より長く、Model-1513の第１リンク(Model-1513)311は第２リンク(Model-1513)312より短いことである。
【００３０】
Model-1513の代表的なモデルであるModel-1513aの第１のドアの状態から第２のドアの状態に遷移する制御について、図１３、図１４と図１８から図２５で説明する。出力制御部23は、サブルーチン(制御(12,13))の、ステップS40でロックロックソレノイド(前側)34aとロックロックソレノイド(後側)34bとロックロックソレノイド(中央)34cを解除し、ステップS41で第１回転駆動機構(Model-1513)321、第２回転駆動機構(Model-1513)322、第３回転駆動機構(Model-1513)323を駆動して、第１のドアの状態を基準として、第１回転駆動機構(Model-1513)321の回転角が0°からθ1aに、第２回転駆動機構(Model-1513)322を回転角が0°からθ2aに、第３回転駆動機構(Model-1513)323を回転角が0°からθ3aになるように制御することによって、ドア側ブラケット32は第１のドアの状態から後方に平行移動した第２のドアの状態に遷移する。
【００３１】
続いて、Model-1513aの、第２のドアの状態から第３のドアの状態に遷移する制御について説明する。出力制御部23は、サブルーチン(制御(23,32))の、ステップS60で第１回転駆動機構(Model-1513)321、第２回転駆動機構(Model-1513)322、第３回転駆動機構(Model-1513)323を駆動して、第１のドアの状態を基準として、第１回転駆動機構(Model-1513)321の回転角がθ1aからθ1bに、第２回転駆動機構(Model-1513)322を回転角がθ2aから0°に、第３回転駆動機構(Model-1513)323を回転角がθ3aからθ3b(=θ3a)になるように制御することによって、ドア側ブラケット32は第２のドアの状態からさらに後方に平行移動した第３のドアの状態に遷移する。
【００３２】
続いて、Model-1513aの、第３のドアの状態から第１のドアの状態に遷移する制御について説明する。出力制御部23は、サブルーチン(制御(21,31))の、ステップS50で第１回転駆動機構(Model-1513)321、第２回転駆動機構(Model-1513)322、第３回転駆動機構(Model-1513)323を駆動して、第１のドアの状態を基準として、第１回転駆動機構(Model-1513)321の回転角がθ1bから0に、第２回転駆動機構(Model-1513)322を回転角がθ2bから0に、第３回転駆動機構(Model-1513)323を回転角がθ3bから0になるように制御することによって、ドア側ブラケット32は第３のドアの状態から閉止した第１のドアの状態に遷移する。
【００３３】
Model-1513の他のモデルであるModel-1512b,c,dの制御もModel-1513aと同様であり、θ1a,θ2a,θ3a,θ1b,θ2b,θ3bの値が異なるだけである。
【実施例４】
【００３４】
実施例４はModel-1514に関するものである。Model-1514の第２の連結手段は図１に示す折畳みリンク機構であって、第１リンク(Model-1514)411、第２リンク(Model-1514)412、第１回転駆動機構(Model-1514)421、第２回転駆動機構(Model-1514)422、第３回転駆動機構(Model-1514)423で構成される。
Model-1514もModel-1512,Model-1513と同様に、第２のドアの状態、第３のドアの状態におけるドア4の位置を車体1に近づけることができるので、ドア4の開閉に必要な車体1の側面のスペースを少なくすることができる。図７はModel-1514b,c,dの動作を説明するものであって、Model-1514b,c,dのそれぞれのドアの状態の遷移の基本的な動作はModel-1511b,c,d,Model-1512b,c,d,Model-1513b,c,dのそれぞれと同様である。Model-1514にはModel-1514a,e,f,gは存在しない。以下、実施例１のModel-1511、実施例２のModel-1512、実施例３のModel-1513との差分について説明する。
【００３５】
図１５、図１６はModel-1514の代表的なモデルであるModel-1514bの構造図であり、図１５(a)は第１のドアの状態の背面図、図１５(b)は同正面図、図１６(a)は第１のドアの状態、図１６(b)は第２のドアの状態、図１６(c)は第３のドアの状態の平面図である。Model-1514の第２の連結手段は、第１リンク(Model-1514)411、第２リンク(Model-1514)412、第１回転駆動機構(Model-1514)421、第２回転駆動機構(Model-1514)422、第３回転駆動機構(Model-1514)423で構成され、第１回転駆動機構(Model-1514)421は第１リンク(Model-1514)411の一方の端部と車体側ブラケット31の後端部を連結し、第２回転駆動機構(Model-1514)422は第１リンク(Model-1514)411の他方の端部と第２リンク(Model-1514)412の一方の端部を連結し、第３回転駆動機構(Model-1514)423は第２リンク(Model-1514)412の他方の端部とドア側ブラケット32の後端部を連結する。
第１リンク(Model-1514)411と第２リンク(Model-1514)412は、第１のドアの状態においては折畳まれてドア側ブラケット32の近傍で平行な状態にある。
【００３６】
Model-1514の第２の連結手段はModel-1512,Model-1513の第２の連結手段とは異なるものである。Model-1512,Model-1513においては、第２リンク(Model-1512)212、第２リンク(Model-1513)312はドア側ブラケット32の中央部に連結され、第１のドアの状態において、第１リンク(Model-1512)211と第２リンク(Model-1512)212、第１リンク(Model-1513)311と第２リンク(Model-1513)312は展開してドア側ブラケット32の近傍で平行になる。
一方Model-1514においては、第２リンク(Model-1514)412はドア側ブラケット32の後端部に連結され、第１のドアの状態において、第１リンク(Model-1514)411と第２リンク(Model-1514)412は折畳まれてドア側ブラケット32の近傍で平行になる。
【００３７】
Model-1514の代表的なモデルであるModel-1514bの第１のドアの状態から第２のドアの状態に遷移する制御について、図１５、図１６と図１８から図２５で説明する。出力制御部23は、サブルーチン(制御(12,13))の、ステップS40でロックロックソレノイド(前側)34aとロックロックソレノイド(後側)34bとロックロックソレノイド(中央)34cを解除し、ステップS41で第１回転駆動機構(Model-1514)421、第２回転駆動機構(Model-1514)422、第３回転駆動機構(Model-1514)423を駆動して、第１のドアの状態を基準として、第１回転駆動機構(Model-1514)421の回転角が0°からθ1aに、第２回転駆動機構(Model-1514)422を回転角が0°からθ2aになるように制御することによって、ドア側ブラケット32は第１のドアの状態から後方に平行移動した第２のドアの状態に遷移する。
【００３８】
続いて、Model-1514bの、第２のドアの状態から第３のドアの状態に遷移する制御について、前記第１のドアの状態から第２のドアの状態に遷移する制御との差分を説明する。出力制御部23は、サブルーチン(制御(23,32))の、ステップS60で第１回転駆動機構(Model-1514)421、第２回転駆動機構(Model-1514)422、第３回転駆動機構223を駆動して、第１のドアの状態を基準として、第１回転駆動機構(Model-1514)421の回転角がθ1aからθ1b(=θ1a)に、第２回転駆動機構(Model-1514)422を回転角がθ2aからθ2b(=θ2a)に、第３回転駆動機構(Model-1514)423を回転角が0°からθ3bになるように制御することによって、ドア側ブラケット32は第２のドアの状態から回転した第３のドアの状態に遷移する。
【００３９】
続いて、Model-1514aの、第３のドアの状態から第１のドアの状態に遷移する制御について、前記第１のドアの状態から第２のドアの状態に遷移する制御との差分を説明する。出力制御部23は、サブルーチン(制御(21,31))の、ステップS50で第１回転駆動機構(Model-1514)421、第２回転駆動機構(Model-1514)422、第３回転駆動機構(Model-1514)423を駆動して、第１のドアの状態を基準として、第１回転駆動機構(Model-1514)421の回転角がθ1bから0°に、第２回転駆動機構(Model-1514)422を回転角がθ2bから0°に、第３回転駆動機構(Model-1514)423を回転角がθ3bから0°になるように制御することによって、ドア側ブラケット32は第３のドアの状態から閉止した第１のドアの状態に遷移する。
【００４０】
Model-1514の他のモデルであるModel-1514c,dの制御もModel-1514bと同様であり、θ1a,θ2a,θ3a,θ1b,θ2b,θ3bの値が異なるだけである。
【実施例５】
【００４１】
実施例５は、本発明の二段スウィング方式の長尺前側開きドア(Model-151)の車体1の開口部5に形成されるトラス構造6に関するものである。図１７はトラス構造6をModel-1512の例で示している。車体側ブラケット31とドア側ブラケット32は、トラス構造6の三角形を形成する、ロックソレノイド(前側)34aとロックピン(前側)35aからなる第１の連結手段、ロックソレノイド(後側)34bとロックピン(後側)35bからなる第１の連結手段、ロックソレノイド(中央)34cロックピン(中央)35cからなる第３の連結手段によって一体の構造物になるように工夫されている。従って第２の連結手段を形成する第１回転駆動機構(Model-1512)221等に、車体1の変形による応力が加わることはない。
【産業上の利用可能性】
【００４２】
本発明のドア装置は、特にクーペ型自動車以外には、キャブリオレ型自動車と小型ハッチバック型自動車に利用可能性がある。キャブリオレ型自動車においては、大きなドア開口面積により後席乗員の快適な乗り降りが可能になり、ドアを車体構造の一部として用いることにより高剛性軽量な車体が可能になる。小型ハッチバック型自動車においては、大きなドア開口面積により側面から車内への多様な荷物の搭載が可能になる。
【図面の簡単な説明】
【００４３】
【図１】長尺後開きドア装置(二段スウィング方式)のモデル一覧を示す図である。
【図２】Model-1511a,b,c,dの動作説明図である。
【図３】Model-1511e,f,gの動作説明図である。
【図４】Model-1512a,b,c,dの動作説明図である。
【図５】Model-1512e,f,gの動作説明図である。
【図６】Model-1513a,b,c,dの動作説明図である。
【図７】Model-1514b,c,dの動作説明図である。
【図８】Model-1511cの構造図(1)である。
【図９】Model-1511cの構造図(2)である。
【図１０】Model-1512bの構造図(1)である。
【図１１】Model-1512bの構造図(2)である。
【図１２】Model-1512bのドア装置を装着した四人乗りクーペ型の自動車の概要構造図である。
【図１３】Model-1513aの構造図(1)である。
【図１４】Model-1513aの構造図(2)である。
【図１５】Model-1514bの構造図(1)である。
【図１６】Model-1514bの構造図(2)である。
【図１７】Model-151(Model-1512)のトラス構造の概念図である。
【図１８】Model-151のリモート操作盤の外観図である。
【図１９】Model-151の制御システム構成図である。
【図２０】Model-151のリモート操作盤の制御フロー図である。
【図２１】Model-151の入力制御部の制御フロー図である。
【図２２】Model-151の出力制御部の制御フロー図である。
【図２３】Model-151の制御(12,13)の制御フロー図である。
【図２４】Model-151の制御(21,31)の制御フロー図である。
【図２５】Model-151の制御(23,32)の制御フロー図である。
【符号の説明】
【００４４】
1     車体
2     前座席
3     後座席
4     ドア
5   開口部
6   トラス構造
10    リモート操作盤
11    セーフティスイッチ
12    Openスイッチ
13    Open1/2スイッチ
14    Closeスイッチ
20    制御装置
21    入力制御部
22    記憶装置
23  出力制御部
31    車体側ブラケット
32    ドア側ブラケット
33a   ドア位置センサー（前側）
33b   ドア位置センサー（後側）
34a   ロックソレノイド（前側）
34b   ロックソレノイド（後側）
34c   ロックソレノイド（中央）
35a   ロックピン（前側）
35b   ロックピン（後側）
35c   ロックピン（中央）
111   リンク（Model-1511）
121   第１回転駆動機構（Model-1511）
122   第２回転駆動機構（Model-1511）
211   第１リンク（Model-1512）
212   第２リンク（Model-1512）
221   第１回転駆動機構（Model-1512）
222   第２回転駆動機構（Model-1512）
223   第３回転駆動機構（Model-1512）
311   第１リンク（Model-1513）
312   第２リンク（Model-1513）
321   第１回転駆動機構（Model-1513）
322   第２回転駆動機構（Model-1513）
323   第３回転駆動機構（Model-1513）
411   第１リンク（Model-1514）
412   第２リンク（Model-1514）
421   第１回転駆動機構（Model-1514）
422   第２回転駆動機構（Model-1514）
423   第３回転駆動機構（Model-1514）
【図１】
2011184924.tif 000003
【図２】
2011184924.tif 000004
【図３】
2011184924.tif 000005
【図４】
2011184924.tif 000006
【図５】
2011184924.tif 000007
【図６】
2011184924.tif 000008
【図７】
2011184924.tif 000009
【図８】
2011184924.tif 000010
【図９】
2011184924.tif 000011
【図１０】
2011184924.tif 000012
【図１１】
2011184924.tif 000013
【図１２】
2011184924.tif 000014
【図１３】
2011184924.tif 000015
【図１４】
2011184924.tif 000016
【図１５】
2011184924.tif 000017
【図１６】
2011184924.tif 000018
【図１７】
2011184924.tif 000019
【図１８】
2011184924.tif 000020
【図１９】
2011184924.tif 000021
【図２０】
2011184924.tif 000022
【図２１】
2011184924.tif 000023
【図２２】
2011184924.tif 000024
【図２３】
2011184924.tif 000025
【図２４】
2011184924.tif 000026
【図２５】
2011184924.tif 000027
【手続補正書】
【提出日】平成23年3月7日(2011.3.7)
【手続補正１】
【補正対象書類名】特許請求の範囲
【補正対象項目名】全文
【補正方法】変更
【補正の内容】
【特許請求の範囲】
【請求項１】
自動車の車体(1)の側面に設けられた、当該自動車の前後二列に配列された前座席(2)と後座席(3)の当該自動車の前後方向の範囲を単独でカバーするドア(4)と、
前記ドアに対応して、前記車体に設けられ、前記ドアを閉めた状態で前記ドアと一体となる形状の開口部(5)と、
前記車体と前記ドアとの間に介在し、前記車体の前記開口部の前後方向の前端部及び後端部のそれぞれにおいて、前記ドアを前記車体に着脱可能に連結する二つの第１の連結手段(34a, 34b, 35a, 35b)と、
前記車体と前記ドアとの間に介在し、前記ドアを前記車体の水平面内で回転する動作または前記車体の前後方向に移動する動作の双方またはいずれか一方の動作を行い、前記ドアが閉止される第１のドアの状態、前記ドアが前記前座席の当該自動車の前後方向の範囲を開放する第２のドアの状態、前記前座席および前記後座席の当該自動車の前後方向の範囲を開放する第３のドアの状態の三つの状態で前記ドアを静止することが可能な、第２の連結手段(111, 121, 122, 211, 212, 221, 222, 223, 311, 312, 321, 322, 323, 411, 412, 421, 422, 423)と、
前記第１のドアの状態、前記第２のドアの状態、前記第３のドアの状態の三つの状態の内、所望の状態を指示する入力を受付ける入力装置(10)と、
前記入力装置からの信号を受けて、前記第１の連結手段を制御して前記ドアの前記車体への連結または解除を行い、前記第２連結手段を制御して前記車体に対する前記第２の連結手段の回転駆動と前記第２の連結手段に対する前記ドアの回転駆動を行うことにより、前記第１のドアの状態、前記第２のドアの状態、前記第３のドアの状態の三つの状態間の遷移を行う制御装置(20)とを備えること、
を特徴とする自動車のドア装置。
【請求項２】
請求項１の自動車のドア装置において、
前記第２の連結手段が、リンク(111)、１回転駆動機構(121)、第２回転駆動機構(122)を備えたリンク機構であること、
さらに、前記リンクは一方の端部が前記第１回転駆動機構によって前記車体(1)の前記開口部(5)の前後方向の後端部と回転駆動可能に連結され、前記リンクの他方の端部が前記第２回転駆動機構によって前記ドア(4)に回転駆動可能に連結されること、
さらに前記リンクは、第１のドアの状態において、前記ドア内側面に平行な状態で収納すること、
を特徴とする自動車のドア装置。
【請求項３】
請求項１の自動車のドア装置において、
前記第２の連結手段が、第１リンク(211, 311)、第２リンク(212, 312)、第１回転駆動機構(221, 321)、第２回転駆動機構(222, 322)、第３回転駆動機構(223, 323)を備えたリンク機構であること、
さらに、前記第１リンクの一方の端部と前記第２リンクの一方の端部が前記第２回転駆動機構で回転駆動可能に連結され、前記第１リンクの他の端部が前記第１回転駆動機構によって前記車体1の前記開口部(5)の前後方向の後端部と回転駆動可能に連結され、前記第２リンクの他の端部が前記第３回転駆動機構によって前記ドア(4)の前後方向の概略中央部に回転駆動可能に連結されること、
さらに前記第１リンクと前記第２リンクは、第１のドアの状態において伸長して前記ドア内側面に平行な状態で収納されること、
を特徴とする自動車のドア装置。
【請求項４】
請求項１の自動車のドア装置において、
前記第２の連結手段が、第１リンク(411)、第２リンク(412)、第１回転駆動機構(421)、第２回転駆動機構(422)、第３回転駆動機構(423)を備えたリンク機構であること、
さらに、前記第１リンクの一方の端部と前記第２リンクの一方の端部が前記第２回転駆動機構で回転駆動可能に連結され、前記第１リンクの他の端部が前記第１回転駆動機構によって前記車体(1)の前記開口部(5)の前後方向の後端部と回転駆動可能に連結され、前記第２リンクの他の端部が前記第３回転駆動機構によって前記ドア(4)の前後方向の概略後端部に回転駆動可能に連結されること、
さらに前記第１リンクと前記第２リンクは、第１のドアの状態においては折畳まれて前記ドア内側面に平行な状態で収納されること、
を特徴とする自動車のドア装置。
【請求項５】
請求項１から４の自動車のドア装置において、
前記車体(1)と前記ドア(4)との間に介在し、前記車体の前記開口部(5)の前後方向の前端部及び後端部において、前記ドアを前記車体に着脱可能に連結する二つの第１の連結手段(34a, 34b, 35a, 35b)と、
さらに、前記車体の前記開口部の前後方向の概略中央の下端部において、前記ドアと前記車体を着脱可能に連結する第３の連結手段(34c,35c)を備え、
前記第１のドアの状態において、前記二つの第１の連結手段と前記第３の連結手段は、前記ドア(4)と前記開口部(5)を、前記ドアの平面の前後方向および上下方向に不動に連結固定し、前記二つの第１の連結手段と前記第３の連結手段を頂点とする実質上の三角形のトラス構造(6)を形成すること、
を特徴とする自動車のドア装置。
【手続補正２】
【補正対象書類名】明細書
【補正対象項目名】００１３
【補正方法】変更
【補正の内容】
【００１３】
図１８はModel-151に共通のリモート操作盤10の外観図である。セーフティスイッチ11の部分を把持することにより、操作が可能になる。左右のドアに対応した、Openスイッチ12、Open1/2スイッチ13、Closeスイッチ14が配置されている。操作信号は無線によって車体1に装着された制御装置に送信される。車体1のコンソール等にも同様の操作盤を装着する。
【手続補正３】
【補正対象書類名】図面
【補正対象項目名】図８
【補正方法】変更
【補正の内容】
【図８】
2011184924.tif 000028
【手続補正４】
【補正対象書類名】図面
【補正対象項目名】図１７
【補正方法】変更
【補正の内容】
【図１７】
2011184924.tif 000029